(57)【要約】【課題】この発明は、視覚識別性および触感識別性のいずれも満たすことのできる砂その他の粒体を使用した絵画の製作方法及び粒体を使用した絵画に関する。【解決手段】同じ粒度の粒体をグループとし、支持体上に同一グループの粒体群を他のグループの粒体群と仕切って所定の厚みに敷き詰め、グループの粒体群に、該グループに対応した色の絵具と媒材の混合液を水で希釈して塗布し乾燥させて、粒体群を支持体に固着すると共に、粒体群の頂面の粒体間の表面の隙間を埋めないようにし、隣接する異なるグループの粒体群の境界個所を断面Ｖ字状の谷部に形成してなり、前記粒体群の頂面に、絵具と媒体の混合液を、前記頂面の粒体間の表面の隙間を埋めないように塗布し乾燥させて本塗りしてなることを特徴とする。【選択図】  図１
2011136516.tif 000002
【特許請求の範囲】
【請求項１】
同じ粒度の粒体をグループとし、異なる粒度の各グループに対応して異なる色を割り当て、割り当てられた色の絵具を対応する粒体のグループに塗布して支持体上に色分け模様の粒体群を固定し、視覚と共に粒体群の頂面の粒度と縁部の形状から触感により色と形を判別しうる粒体を使用した絵画の製作方法において、
支持体上に同一グループの粒体群を他のグループの粒体群と仕切って所定の厚みに敷き詰め、
敷き詰めた粒体群に少なくとも媒材を塗布し乾燥させて、粒体群を支持体に固着すると共に、粒体群の頂面の粒体間の表面の隙間を前記媒体で埋めないようにし、
隣接する異なるグループの粒体群の境界個所を断面Ｖ字状の谷部に形成してなり、
前記粒体群の頂面に、前記頂面の粒体間の表面の隙間を埋めないように前記粒体の粒度に対応する色の絵具を塗布し乾燥させてなることを特徴とする粒体を使用した絵画の製作方法。
【請求項２】
粒体群の頂面の縁部と、粒体群間の谷部を形成する粒体群の外周壁面とを、絵具と媒材の混合液または混合液を水で希釈して塗布し乾燥させて露出する粒体間の表面の隙間を埋めて補強してなることを特徴とする請求項１に記載の粒体を使用した絵画の製作方法。
【請求項３】
支持体上に絵具を用いて色分け個所を塗りつぶした下絵を描き、該下絵の上に粒体群を敷き詰めてなることを特徴とする請求項１に記載の粒体を使用した絵画の製作方法。
【請求項４】
粒体が、砂、合成樹脂、金属、木および紙からなる群のいずれか１または複数を素材としてなることを特徴とする請求項１または３のいずれかに記載の粒体を使用した絵画の製作方法。
【請求項５】
粒度が同じであっても異なる触感の粒体を異なるグループとし、異なる色を割り当ててなることを特徴とする請求項４に記載の粒体を使用した絵画の製作方法。
【請求項６】
粒体が砂であって、砂盛り工程と本塗り工程とからなっており、
砂盛り工程が、
支持体上に、色分け模様からなる下絵を描くステップと、
前記単一色で表現される領域の境界線で囲まれた範囲内に、下絵で指定された色に対応する粒度の砂を均一の厚みで敷き詰めるステップと、
上記土台形成部の頂面に前記指定された色の絵具と媒材と水の混合液を塗布し、該塗布が乾燥した際に前記敷き詰められた砂の頂面の粒と粒の間の隙間を埋めないようにするステップと、
境界線上の外周壁面を当該境界線の範囲の内側に向かって傾斜させ、色分け個所の境界線が断面Ｖ字状の谷部となるように形成するステップと、
前記傾斜した外周壁面上を絵具と媒材と水の混合液で塗布し、該塗布が乾燥した際に外周壁面に露出する砂の粒と粒の間の隙間を埋めて前記外周壁面を被覆するステップとからなり、
本塗り工程が、絵具と媒体の混合液を前記砂盛りされた頂面に塗布し、該塗布が前記頂面の砂の粒と粒の間の隙間を埋めないように塗布してなることを特徴とする請求項１から５のいずれかに規定した粒体を使用した絵画の製作方法。
【請求項７】
砂盛りする際に、敷き詰められた砂の頂面の縁部を頂面の他の部分に比べて強く押圧し、または指定された色の絵具と媒材と水の混合液を乾燥した際に砂の粒と粒の間の隙間を埋めるように塗布して補強してなることを特徴とする請求項６に記載の粒体を使用した絵画の製作方法。
【請求項８】
敷き詰めた砂に絵具と媒材と水の混合液を塗布して砂の頂面に起伏が形成された場合、砂の頂面の突出部を削り又は押し込んで扁平にして乾燥して固め、次いで窪み部に砂を埋め絵具と媒材と水の混合液を塗布して砂の頂面を扁平に形成してなることを特徴とする請求項６または７に記載の粒体を使用した絵画の製作方法。
【請求項９】
絵具がアクリル絵具からなり、媒材がはちみつ状のメディウムからなっていることを特徴とする請求項１から８のいずれかに記載の粒体を使用した絵画の製作方法。
【請求項１０】
砂が大理石の砂、サンゴ砂、または珪砂からなっていることを特徴とする請求項５から９のいずれかに記載の粒体を使用した絵画の製作方法。
【請求項１１】
粒体群を支持体に敷き詰めて固定する順番が、粒度の粗い粒体から粒度の細かい粒体の順番で行うことを特徴とする請求項１から４のいずれかに記載の粒体を使用した絵画の製作方法。
【請求項１２】
粒体群を支持体に敷き詰めて固定する順番が、粒度の粗い粒体から粒度の細かい粒体の順番で行うことを特徴とする請求項１から４のいずれかに記載の粒体を使用した絵画の製作方法。
【請求項１３】
本塗り前の砂盛り工程を、粒度の粗い砂から粒度の細かい砂の順番で行うことを特徴とする請求項６から１０のいずれかに記載の粒体を使用した絵画の製作方法。
【請求項１４】
本塗りを、濃い色から薄い色の順に行い、背景の色は最後に行うことを特徴とする請求項１から１３に記載のいずれかに記載の粒体を使用した絵画の製作方法。
【請求項１５】
同じ粒度の粒体をグループとし、異なる粒度の各グループに対応して異なる色を割り当て、割り当てられた色の絵具を対応する粒体のグループに塗布して支持体上に色分け模様の粒体群を固定し、視覚と共に粒体群の頂面の粒度と縁部の形状から触感により色と形を判別しうる粒体を使用した絵画において、
支持体上に同一グループの粒体群を他のグループの粒体群と仕切って所定の厚みに敷き詰め、
敷き詰めた粒体群に少なくとも媒材を塗布し乾燥させて、粒体群を支持体に固着すると共に、粒体群の頂面の粒体間の表面の隙間を前記媒体で埋めないようにし、
隣接する異なるグループの粒体群の境界個所を断面Ｖ字状の谷部に形成してなり、
前記粒体群の頂面に、前記頂面の粒体間の表面の隙間を埋めないように絵具を塗布し乾燥させて本塗りしてなることを特徴とする粒体を使用した絵画。
【発明の詳細な説明】
【技術分野】
【０００１】
この発明は、眼の不自由な人であってもなくても、同時に同じように鑑賞することができる砂絵その他の粒体を使用した絵画の製作方法および粒体を使用した絵画の改良に関する。
【背景技術】
【０００２】
従来、手の感触により鑑賞できる絵画として、実用新案登録第３１３４４７４号の立体絵が提案されており、この考案では凹凸表面を有する半立体画像の画像要素の上またはその近傍に数字の形状を有する突部が一体に形成され、該突部の付された画像要素を説明する点字配列が余白に形成された構成からなっているため、画像要素の輪郭を認識することはできるが、色彩までは認識することができない欠点がある。
また、特開２００７−２３００１４の識別マークを有する貴重印刷物にあっては、触感識別性の他に、フロッキー加工層の多色パイルをある一定の方向へ傾斜させることで、潜像模様が現出することで視覚識別性が得られる構成が開示されているが、視覚識別性を得るには特別の操作が必要となり、また多数の色や形状を識別することは困難であり、絵画の鑑賞に適用することはできない。
【先行技術文献】
【特許文献】
【０００３】
【特許文献１】実用新案登録第３１３４４７４号公報
【特許文献２】特開２００７−２３００１４公報
【発明の概要】
【発明が解決しようとする課題】
【０００４】
この発明の解決しようとする課題は、同じ粒度の粒体をグループとし、異なる粒度の各グループに対応して異なる色を割り当て、割り当てられた色の絵具を対応する粒体のグループに塗布して視覚識別性および触感識別性のいずれも満たすことのできる粒体を使用した絵画の製作方法及び粒体を使用した絵画を提供することにある。
【課題を解決するための手段】
【０００５】
この発明は、前記課題を解決するために、
同じ粒度の粒体をグループとし、異なる粒度の各グループに対応して異なる色を割り当て、割り当てられた色の絵具を対応する粒体のグループに塗布して支持体上に色分け模様の粒体群を固定し、視覚と共に粒体群の頂面の粒度と縁部の形状から触感により色と形を判別しうる粒体を使用した絵画の製作方法において、
支持体上に同一グループの粒体群を他のグループの粒体群と仕切って所定の厚みに敷き詰め、
敷き詰めた粒体群に少なくとも媒材を塗布し乾燥させて、粒体群を支持体に固着すると共に、粒体群の頂面の粒体間の表面の隙間を前記媒体で埋めないようにし、
隣接する異なるグループの粒体群の境界個所を断面Ｖ字状の谷部に形成してなり、
前記粒体群の頂面に、前記頂面の粒体間の表面の隙間を埋めないように絵具を塗布し乾燥させて本塗りしてなることを特徴とする。
【発明の効果】
【０００６】
この発明の粒体を使用した絵画の製作方法は、粒体を使用した絵画の頂面が、境界線で仕切られた粒度の異なる粒体のグループの組合せからなっており、色の異なる境界線は断面Ｖ字状の谷部で区切られているので、眼の不自由な人であっても粒体の粒度の触感から色を識別し、縁部や谷部の触感から形状と色の境界線を識別することができ、そうでない人は視覚から色と形状とを識別することができるので、粒体を使用した絵画を同時に鑑賞することができる。
粒体群の頂面の縁部および粒体群の外周壁面は絵具乃至媒材で粒体間の隙間を埋めて被覆し補強するで、頂面の縁部を触ることで、区切られた粒体群の正確な輪郭形状を認識することができる。
【図面の簡単な説明】
【０００７】
【図１】支持体に下絵を描いた状態の平面図である。
【図２】（ａ）は土台形成部の頂面に第１混合液を塗布する状態の説明図、（ｂ）は頂面の縁部に第２混合液を塗布する状態の説明図である。
【図３】（ａ）は修正層を形成した状態の断面を示す説明図、（ｂ）は修正層の頂面の凸部を削って均し、外周壁面に土手部を形成した状態の断面を示す説明図である。
【図４】（ａ）は修正層の頂面に第３混合液をコーティングした状態の説明図、（ｂ）は隣接する砂盛り部に混合液が伏流水となって浸透する状態の説明図、（ｃ）は扁平な頂面を形成した状態の説明図である。
【図５】（ａ）は土手盛り形成の説明図、（ｂ）は境界線上に隣接する一対の土手部により谷部が形成される説明図である。
【図６】砂が大理石の場合の土台形成部の頂面に第１混合液を塗布する状態の説明図、（ｂ）は頂面の縁部に第２混合液を塗布する状態の説明図である。
【図７】砂盛り部に縁部を除いて砂止め用混合液を塗布する状態の説明図である。
【図８】（ａ）は土盛り部の頂面に本塗り用混合液を筆の毛で塗布する状態の説明図、（ｂ）は本塗り用混合液を土盛り部の頂面に穂の半分以上で塗布する状態の説明図である。
【図９】砂絵の部分断面図である。
【発明を実施するための形態】
【０００８】
この発明では、支持体上に粒度を同じくする粒体群を他の粒度の粒体群と区切って敷き詰め、粘着性を有する媒材を塗布して粒体群を支持体上に固定する。
ここで、粒体群の頂面は、粒体間の表面の隙間を埋めないように前記媒材が塗布され、前記頂面の縁部および粒体群の外周壁面となる土手の部分は粒体間の表面の隙間を埋めて被覆し、補強すると共に滑らかな縁部となるよう媒材または絵具が塗布される。
そして、支持体に固着した前記粒体群には粒体群の粒度に対応した色の絵具が塗布され、粒体群の頂面は粒体間の表面の隙間が埋まらないように塗布される。
これにより、粒体群の頂面では粒体の粒度が触感により判別しうるので粒度に対応する色を認識することができ、また頂面の縁部や粒体群間の境目は谷部となり且つ粒体間は隙間なく埋められるので、粒体群の正確な輪郭形状を触感によって得ることができ、触感識別性と視覚識別性とが得られるようにした。
媒体には、絵具を混合してもよく、また水で希釈して使用してもよい。
以下に、この発明の粒体を使用した絵画の製作方法および粒体を使用した絵画の好適実施例について図面を参照しながら説明する。
【実施例１】
【０００９】
本実施例では粒体の一例として砂を用いた場合について説明する。
粒度の異なる砂の各グループに対応して異なる色を割り当てる。
本実施例では、砂の粒度を粗いものから細かいものまで９段階に分けている。
この砂は、各種メッシュを用いて篩別して作ってもよいし、既製品の砂を購入してもよい。
本実施例では、砂は大理石の砂、サンゴ砂、珪砂を用いているが、他の砂を用いてもよい。
【００１０】
キャンバスなどの支持体１上に、色分け模様からなる下絵２を絵具で描く（図１参照）。
絵具としては本実施例ではアクリル絵具を使用しているが、その他の公知の絵具を用いてもよい。
ここで使用する絵具は、複数（本実施例では９段階）の粒度のそれぞれに関連づけられた色（本実施例では９色）と背景色との１０色の絵具が用いられる。
【００１１】
下絵１は、単一色で異なる色の領域の境目となる境界線Ｂが線として描かれ、又は色分けにより描かれる必要がある。
本実施例では境界線Ｂは線として描かず、領域内を対応する単一の色で塗り潰しており、境界線部分は色分けされた境目として表現されている。
下絵における前記領域内の塗り潰しは全域に絵具を厚く塗ることで、後述の媒材の混合液を塗布した際に砂との粘着力を高めることができる。
【００１２】
下絵２に描かれた境界線Ｂで区切られた単一色の領域Ｅ上には、下絵２で指定された色に対応する粒度の砂をほぼ均一の厚みとなるように、且つ頂面に隙間ができないように敷き詰めて土台形成層３’とする。
土台形成層３’の厚みは、後述の絵具と強い粘りを有する媒材と水の混合液で砂を支持体に固着可能な厚みであり、粒度や絵具、媒材の種類に応じて差異があるので適宜実験的に定めることができる。
【００１３】
そして、例えばサンゴ砂の場合、砂の粒子が基本的に丸く整いやすいので、やわらかく大きな筆で、厚めに第１混合液Ｌ１を前記土台形成層３’の上から塗布し、土台形成層３’に浸透させる（図２（ａ）参照）。
ここで、第１混合液Ｌ１は、強い粘りを有する媒材と絵具の比率が３：１の割合で混合され、希釈する水の量が基準量に設定されている。
上記媒材として、本実施例では、粘度がはちみつ状のメディウムであるリキテックス（商標）のストリングジェルメディウム（商品名）を用い、絵具として水性エマルジョンタイプのアクリル絵具のリキテックスカラー（商品名）を用いている。
【００１４】
前記土台形成層３’の頂面３ａ’の縁部は強度を有することが好ましく、本実施例では第２混合液Ｌ２を細かい筆で細部にわたって塗布する。
ここで第２混合液Ｌ２は第１混合液Ｌ１の上から塗布してもよいし、縁部には第１混合液Ｌ１を塗布せず、第２混合液Ｌ２だけを厚く塗布するものでもよい。
この時、第２混合液Ｌ２を厚く塗ることで、頑丈で正確な形状の縁部を形成できる（図２（ｂ）参照）。
【００１５】
第２混合液Ｌ２は、前記強い粘りを有する媒材と絵具の比率が３：１で混合され、希釈する水の量は基準量より少なめに設定されている。
このようにして土台形成層３’を構成する砂が一体に固着して土台部３が形成されるが、その頂面３ａには未だ凹凸状の起伏が残っている場合が多い。図示例では説明の便宜上、凹凸を大きく表している。
【００１６】
そこで、前記頂面３ａに砂を修正に必要な分だけ手でふりかけて土台上に修正層４を形成し（図３（ａ）参照）、該修正層４の頂面４ａを均し、ペインティングナイフで上から敷き詰められた砂全体を押圧する。
修正層４の頂面４ａを均す際には、ペインティングナイフで土台部３の頂面３ａの凸部を削ったり、押し込んだりして平らにしていくが、この段階では凹部は未だ埋めない（図３（ｂ）参照）。
均す際には、頂面４ａの角と縁部を中心に押圧して、密度を高めることが好ましい。
【００１７】
境界線Ｂに沿って前記敷き詰められた砂の外周壁面５ａを当該境界線Ｂの範囲の内側に向かって傾斜させ土手部５ｂを形成する（図３（ｂ）参照）。
そして、１時間以上室温で放置し、支持体１上の土台部３および修正層４を一体に固める。
【００１８】
次に、前記修正層４の頂面４ａに残った凹部４ｂを埋める。
即ち、修正層４の頂面４ａの上に、該頂面４ａをコーティングする目的で、第３混合液Ｌ３を塗布する（図４（ａ）参照）。
ここで第３混合液Ｌ３は、前記強い粘りを有するメディウムと絵具の比率を２：１で混合し、希釈する水の量が基準量より多めに設定されている。
【００１９】
上記第３混合液Ｌ３の塗布量が多すぎると、図４（ｂ）に示すように、流下した着色水が伏流水のように境界線の隣の領域の砂盛り部１０に滲み込み毛細管現象で上昇し、色が混じるので、塗布量は境界線から流れ出ない量に調整する必要がある。
【００２０】
前記第３混合液Ｌ３が修正層４や土台部３にほぼ吸収されてから、前記凹部４ｂに的確に砂を補充し、ペインティングナイフで押し込んで、修正層４の頂面４ａを均す。
これにより、乾燥しても砂の粒の上端が揃った頂面４ａを形成することができる（図４（ｃ）参照）。
ここで、土盛り部は土台部３だけからなるものでもよいが、土台部３と修正層４とからなる場合には、土台部３は支持体１に固着される。修正層４は土台部３の頂面を覆うように固着し、修正層４の頂面４ａに表れる砂が粒度を判別しうるように固定されていればよい。
【００２１】
また、外周壁面の土手５ｂと頂面４ａの縁部は、境界線Ｂに沿った輪郭を認識するための個所であるので、正確できれいに形成することが好ましい。
そこで、第４混合液Ｌ４を頂面の角のエッジの部分に線を引くように厚めに塗布して、同時に砂を盛って細かな凹凸を解消する。
ここで、頂面の縁部は、色分け個所の輪郭（境界線）を認識するためであるので、砂の粒度は判別できなくてもよく、縁部を除く頂面で砂の粒度を触感できればよい。
【００２２】
ここで、第４混合液Ｌ４は、前記強い粘りを有するメディウムと絵具の比率を２：１で混合し、希釈する水の量が基準量より極めて少なく設定されている。
このとき砂粒が不足している場合、足りない砂の粒を筆で選り分けて拾う。水に濡らした筆であれば、砂粒を１〜２粒単位で拾うことが出来る  持ち上げて嵌め込んで盛っていくが、塗るのは土手盛りが必要な部分のみとし、頂面には塗布しない（図５（ａ）参照）。
【００２３】
第４混合液Ｌ４は水の量が少ないため、頂面の砂の粒と粒の間の目地を潰すおそれがあり、頂面に浸入してきた第４混合液Ｌ４は、乾く前にティッシュペーパーなどで拭き取ることが好ましい。
これは頂面の砂の粒の間の目地が潰れることで触感で判別できなくなるのを防ぐためである。
【００２４】
一方、土手部５ｂは、前記第４混合液Ｌ４で塗った部分がある程度乾いてきてから、再度第４混合液Ｌ４を塗布し、完全に砂の粒が見えなくなるまで塗って土手の表面を乾燥した第４混合液の層で被覆する。
これによって、土手部５ｂは多数の人に触られても剥がれたり損壊したりすることがなく、また隣接する砂盛り部１０から混合液が流出してきても土手部５ｂで浸入をくいとめることができる。
【００２５】
このようにして形成された砂盛り部１０は、色分けにより隣接する砂盛り部間の境界線Ｂの個所が断面Ｖ字状の谷部８となる。
そのため、境界線で囲まれた領域の輪郭の判別を触感により容易に行うことができる（図）５（ｂ）参照）
【００２６】
砂が大理石の場合、やわらかく大きな筆を用い第１混合液Ｌ１’を、敷き詰めた砂の頂面で縁部を除いて塗布する（図６（ａ）参照）。
また、縁部には、第２混合液Ｌ２’を塗布するが前記頂面に塗布した第１混合液Ｌ１’より厚めに塗布して土台部３を形成する(図６（ｂ）参照）。
【００２７】
ここで、大理石用の第１混合液Ｌ１’は、前記強い粘りを有するメディウムと絵具の比率が１．５：１で、希釈する水は基準量より多めに設定されており、第２混合液Ｌ２’は、、前記強い粘りを有するメディウムと絵具の比率が１．５：１で、希釈する水が基準量より少なめに設定されている。
【００２８】
前記混合液を塗り終わったら、手で修正に必要な分の砂をかけて補充する。
補充後、すぐペインティングナイフで頂面を押圧する。
ペインティングナイフは、縁部から内側に向けて一方向に動かす。
広い面積を平らになるように押圧している時、途中で修正層や土台部分が乾いてきたら、部分的に前記大理石用の第１混合液Ｌ１’を塗って乾燥を防ぐ。
【００２９】
大理石の砂は、本実施例の場合、最も粒度が細かい１段階目の粒度とやや粗い３段階目の粒度とに用いているが、１段階目の粒度で用いる場合には土手部を作らなくてもよいが、３段階目の粒度で用いる場合には前記サンゴの砂と同様に土手を作る必要がある。
上記のようにして砂盛り部１０が完成する。
【００３０】
下絵に描かれた各境界線で区切られた領域内に、それぞれ上記砂盛り工程が順番に行われる。
ここで砂盛り工程は、本塗り工程の前に、粒度の粗い砂から粒度の細かい砂の順番で行うことが好ましい。
各境界線Ｂで区切られた領域Ｅの全てに砂盛り部１０が形成されると、次に本塗り工程が施される。
【００３１】
本塗り工程は、各砂盛り部１０毎に行われるが、砂の粒度とは別に、粒度に関係付けられた色によって、作業の順序が決められる。
即ち、色が濃い色から薄い色の順に本塗りを行い、背景の色を付す場合には背景を最後に塗る。
【００３２】
まず、砂止め用混合液Ｌ５は、前記強い粘りを有するメディウムと絵具の比率が１．７〜８：１０で、希釈する水を混合したものからなり、砂盛り部１０の頂面１０ａで縁部を除いた部分に塗布される（図７参照）。
砂止め用混合液Ｌ５が完全に乾いたら、カッターナイフで頂面の縁部をきれいに整えていく。
ここで輪郭線が滑らかになるように、隆起部は全て削り取り、また、土手部が形成されない細かい粒度の砂の場合には頂面１０ａの縁部を斜めにカットし、前記砂止め用混合液Ｌ５を塗る。
【００３３】
次に、水を足さずに、絵具に前記強い粘りを有するメディウムを少し混ぜた本塗り用混合液Ｌ６を筆先だけを使って土盛り部１０の頂面１０ａに塗布する(図８（ａ）参照）。
そして、絵具を筆の毛の長さの半分以上（本実施例では７割）付着させ、余分な絵具を取り除いて絵具の溜まりができないようにして頂面１０ａに塗布し、ムラが生じたり、砂の地が見えないように着色し（図８（ｂ）参照）、砂絵が完成する（図９参照）。
【００３４】
上記実施例で使用する絵具や媒材（メディウム）は一例を示すものであって、砂に浸透して固着しうるものであれば良く、この発明では適宜公知のものを置き換えて用いることができる。
また、砂盛り部は、土台部の上に修正層を形成して行ったが、土台部だけでなだらかな頂面が形成できる場合は修正層を形成しなくてもよい。
また、砂盛り部の頂面はほぼ水平に均した場合を図示したが、湾曲面や斜面の組合せ、ブロック状、筒状、球状など支持体に立体的に表現されるものであってもよく、その表面に触ることで砂の粒度が触感できるものであればよい。
【００３５】
上記実施例では、粒体の一例として砂を用いた場合について説明したが、砂の種類は限定されないのは勿論、この発明では粒体として合成樹脂、金属、木、紙、その他の固体の素材を粒状にしたものを用いることができる。
また、粒度は、手の触感で識別しうる範囲のものを用いることが好ましい。
同じ粒度であっても粒体自体の触感の異なる素材（スベスベのものとザラザラのものなど）に異なる色を割り当てることで、割り当てる色の種類を増やすこともできる。
また、絵具や強い粘性を有する媒材も上記素材に応じて適宜公知のものを用いることができる。
同様に支持体も、公知のキャンバスに限らず、用いる砂その他の粒体の種類や絵具および媒材の種類に応じて適宜選択して使用することができる。
更に、色の割り当てに組み合わせて、香りや音を組み合わせてもよい。
即ち、粒体群に特定の香りを付したり、粒体群を触ると特定の音が流れるなどの構成を組み合わせてもよい。
その他、この発明は上記実施例に限定されるものではなく、この発明の要旨を変更しない範囲で種々設計変更しうるものである。
【符号の説明】
【００３６】
１    支持体
２    下絵
３    土台部
３ａ  頂面
４    修正層
４ａ  頂面
５ａ  外周壁面
５ｂ  土手部
８    谷部
１０    砂盛り部
１０ａ  頂面
Ｂ    境界線
Ｅ    領域
Ｌ１、Ｌ１’  第１混合液
Ｌ２、Ｌ２’  第２混合液
Ｌ３  第３混合液
Ｌ４  第４混合液
Ｌ５  砂止め用混合液
Ｌ６  本塗り用混合液
【図１】
2011136516.tif 000003
【図２】
2011136516.tif 000004
【図３】
2011136516.tif 000005
【図４】
2011136516.tif 000006
【図５】
2011136516.tif 000007
【図６】
2011136516.tif 000008
【図７】
2011136516.tif 000009
【図８】
2011136516.tif 000010
【図９】
2011136516.tif 000011